(57)【要約】【課題】電子機器に取付部品を固定するナットの締結忘れを防止することができるカバーを提供する。【解決手段】先端が外側に向かって配置されたボルト２５にナット２６を締結して端子２０が取付けられるヒューズユニット２を覆うカバー１であって、前記ナット２６に対応する位置の内面に、締結位置の前記ナット２６には干渉せず、締結位置以外の前記ナット２６には干渉する高さの突部１４が設けられ、この突部１４が設けられた箇所の周囲が薄肉部１５とされた。【選択図】図１
2014017311.tif 000002
【特許請求の範囲】
【請求項１】
ネジ部先端が外側に向かって配置されたボルト（２５）にナット（２６）を締結して取付部品（２０）が取付けられる電子機器（２）を覆うカバー（１）であって、
前記ナット（２６）に対応する位置の内面に、締結位置の前記ナット（２６）には干渉せず、締結位置以外の前記ナット（２６）には干渉する高さの突部（１４）が設けられ、前記突部（１４）が設けられた箇所の周囲が薄肉部（１５）とされたことを特徴とするカバー（１）。
【発明の詳細な説明】
【技術分野】
【０００１】
本発明は、車両などに配設される電子機器を覆うカバーに関する。
【背景技術】
【０００２】
従来より、例えば車両のバッテリに直付けされるヒューズユニットが知られている（例えば、特許文献１参照）。
【０００３】
かかるヒューズユニットの一従来例として、先端を上方に向けて配置されるボルトにナットを締結することによって端子を固定するものがあり、これらの導電部位であるボルト、ナット及び端子を絶縁保護する等の目的でヒューズユニットの上方は、カバーで覆うことが一般的に行われている。
【０００４】
一方、ボルトとナットは、ナットがボルトに仮止めされる構造のものを使用することが締結作業性の向上になる。
【先行技術文献】
【特許文献】
【０００５】
【特許文献１】特開２００２−２８９１７１号公報
【発明の概要】
【発明が解決しようとする課題】
【０００６】
しかしながら、ナットがボルトに仮止めされる構造のものを使用すると、ナットを締め忘れた状態でヒューズユニットにカバーを組み付ける恐れがある。
【０００７】
そこで、本発明は、前記した課題を解決すべくなされたものであり、電子機器に取付部品を固定するナットの締結忘れを防止することができるカバーを提供することを目的とする。
【課題を解決するための手段】
【０００８】
本発明は、ネジ部先端が外側に向かって配置されたボルトにナットを締結して取付部品が取付けられる電子機器を覆うカバーであって、前記ナットに対応する位置の内面に、締結位置の前記ナットには干渉せず、締結位置以外の前記ナットには干渉する高さの突部が設けられ、前記突部が設けられた箇所の周囲が薄肉部とされたことを特徴とする。
【発明の効果】
【０００９】
本発明によれば、カバーを電子機器に装着する際、電子機器のボルトにナットが締結されている場合には、カバーの前記ナットに対応する位置の内面に設けられた突部がナットと干渉しない。一方、電子機器のボルトにナットが締結されていない場合には、突部がナットと干渉するため、突部が設けられた周囲の薄肉部が伸び変形して白化する。これにより、電子機器に取付部品を固定するナットの締結忘れを目視によって認識することができる。
【図面の簡単な説明】
【００１０】
【図１】本発明の一実施形態を示し、ヒューズユニット及びカバーの分解斜視図である。
【図２】本発明の一実施形態を示し、カバーを下方から見た図である。
【図３】本発明の一実施形態を示し、図２のIII−III線に沿う断面図である。
【図４】本発明の一実施形態を示し、ヒューズユニット及びカバーの正面図である。
【図５】本発明の一実施形態を示し、図４のＶ−Ｖ線に沿う断面図である。
【図６】本発明の一実施形態を示し、図５のＡ部の拡大断面図である。
【図７】本発明の一実施形態を示し、ナットを締め忘れた状態でカバーを組み付けた場合のヒューズユニット及びカバーの断面図である。
【図８】本発明の一実施形態を示し、図７のＢ部の拡大断面図で、ナットとの干渉により突部周囲の薄肉部が変形した状態を示す図である。
【発明を実施するための形態】
【００１１】
以下、本発明の実施形態を図面に基づいて説明する。
【００１２】
図１〜図８は本発明の一実施形態を示す。カバー１は、電子機器であるヒューズユニット２の外周側に装着される。先ず、ヒューズユニット２の構成を説明する。
【００１３】
ヒューズユニット２は、Ｌ字状に折り曲がった形状で、車両のバッテリ（図示せず）に直付けされる。ヒューズユニット２は、バスバー３０とこのバスバー３０の適所を覆う保護樹脂部３１とを備えている。バスバー３０の上面側には、端子接続部である給電用接続部２１と、端子接続部である複数の外部用接続部２２と、これらの給電用接続部２１と外部用接続部２２間に介在され、外部用接続部２２への過電流を阻止する可溶部２３とが設けられている。外部用接続部２２には、取付部品である外部端子２０が接続される。バスバー３０の側面側には、他の外部用接続部（図示せず）への過電流を阻止する他の可溶部２４とコネクタ接続用の外部用接続部２７が設けられている。外部用接続部２７には、コネクタ接続によって外部端子（図示せず）が接続される。
【００１４】
ボルト接続用の外部用接続部２２には、ボルト２５が設けられている。ボルト２５は、その頭部２５ａが保護樹脂部３１に埋設されることよって固定されている。ボルト２５は、そのネジ部２５ｂの先端が上方側（外側）に向かって配置されている。ボルト２５には、外部端子２０を締結するナット２６が螺入されている。ボルト２５とナット２６は、ナット２６がボルト２５に仮止めされる構造のものである。
【００１５】
カバー１は、ＰＰ樹脂（ポリプロピレン樹脂）から形成されている。カバー１は、ヒューズユニット２とバッテリ端子（図示せず）とバッテリポスト（図示せず）を覆っている。また、カバー１は、ヒューズユニット２に上方よりスライドさせることによりヒューズユニット２に嵌合される固定面部１１と、固定面部１１にヒンジ部１２を介して連結された蓋部１３とを有する。固定面部１１は、前記ナット２６に対応する位置の内面に、下方に突出する円筒状の突部１４を有する。固定面部１１の突部１４が設けられた箇所の周囲は、薄肉部１５に形成されている。突部１４は、図５及び図６に示すように、締結位置のナット２６には干渉せず、図７及び図８に示すように、締結位置以外のナット２６には干渉するように高さが設定されている。
【００１６】
上記構成では、カバー１をヒューズユニット２に上方よりスライドさせて固定面部１１を嵌合させることにより、カバー１がヒューズユニット２に固定される。このとき、ヒューズユニット２のボルト２５にナット２６が締結される正規の締結状態にある場合には、図５及び図６に示すように、固定面部１１のナット２６に対応する位置の内面に設けられた円筒状の突部１４がナット２６と干渉しない。一方、ヒューズユニット２のボルト２５にナット２６が仮止めされたままで、未締結状態にある場合には、固定面部１１の内面に突設された突部１４がナット２６と干渉する。強制的にカバー１をヒューズユニット２に装着すると、図７及び図８に示すように、突部１４がナット２６により上方に押圧される。この押圧力によって薄肉部１５が伸び変形し、突部１４に対応する外面側が突出する。伸び変形した薄肉部１５は、白化（他の箇所より薄い色に見えること）する。又、押圧力によって薄肉部１５が破断する。従って、ナット２６の締結忘れを目視によって認識することができる。これにより、ナット２６の締結忘れを未然に防止できる。
【００１７】
上記実施形態では、カバー１は、ヒューズユニット２に装着するものであるが、本発明は、ヒューズユニット２以外の電子機器に装着するものであっても適用できる。
【００１８】
上記実施形態では、突部１４は円筒形であるが、他の形状（例えばＸ形状の断面を有する柱状体）であってもよい。
【００１９】
上記実施形態では、薄肉部１５は、カバー１の固定面部１１の内面側を窪ませて形成したが、カバー１の固定面部１１の外面側、又は、カバー１の固定面部１１の内面側と外面側の双方を窪ませて形成しても良い。薄肉部１５は、カバー１の固定面部１１の内面側を窪ませて形成した方が外面側がフラット面にできるため、例えば意匠的に好ましい。
【符号の説明】
【００２０】
１  カバー
２  ヒューズユニット（電子機器）
１４  突部
１５  薄肉部
２０  端子（取付部品）
２５  ボルト
２６  ナット
【図１】
2014017311.tif 000003
【図２】
2014017311.tif 000004
【図３】
2014017311.tif 000005
【図４】
2014017311.tif 000006
【図５】
2014017311.tif 000007
【図６】
2014017311.tif 000008
【図７】
2014017311.tif 000009
【図８】
2014017311.tif 000010